(57)【要約】【課題】紙箱にゴミ箱機能を持たせることにより、生じるゴミを美しく処理できるとともに、組み立ても容易な包装箱を提供する【解決手段】包装箱１００の内部は仕切板３により、包装材で個別に包装された内容物が収納される第１収納部１９と、開封後の包装材を収納する第２収納部２０とに分割されている。開封後の包装材を処理する場合、切り込み１１ｃを手前に起こして形成されるツマミ２２を引っ張ると、第２側面８ａが矢印Ｂ方向に開放され、差し込み片１０ａが引き出される。そして、露出した挿入口１５ｂから包装材を第２収納部２０内に挿入する。【選択図】図５
2008087801.tif 000002
【特許請求の範囲】
【請求項１】
開閉可能な蓋部を備えた上面と、該上面の対向する二辺に連結される一対の第１側面と、前記上面の他の二辺に連結される一対の第２側面と、前記第１側面の一方に連結され前記上面に対向配置される底面と、を有し、
包装材で個別に包装された内容物を複数個収納する包装箱において、
前記底面の四辺のうち、前記第１側面が連結された辺と対向する辺に連結される仕切板を用いて、包装箱内部を前記仕切板の上方に形成され内容物を収納する第１収納部と、前記仕切板の下方に形成され開封後の包装材を収納する第２収納部とに分割するとともに、前記第２側面の少なくとも一方に、前記第２収納部へ包装材を挿入する挿入口を設けたことを特徴とする包装箱。
【請求項２】
前記第２側面は、前記上面との連結部分を支軸として開閉可能であり、前記挿入口は、前記第２側面の先端部に延設され前記底面内側に差し込むことにより前記第２側面を閉状態に保持する差し込み片に形成されることを特徴とする請求項１に記載の包装箱。
【請求項３】
前記挿入口が形成される前記差し込み片には、前記第１側面から突設された一対の舌片に係合して前記第２の側面の開放角度を規制する切り欠きが形成されることを特徴とする請求項２に記載の包装箱。
【請求項４】
前記仕切板には、前記挿入口が形成された前記第２側面と対向する端部に、前記第１収納部への包装材の進入を防止する遮蔽板が連設されることを特徴とする請求項１乃至請求項３のいずれかに記載の包装箱。
【発明の詳細な説明】
【技術分野】
【０００１】
本発明は、個別に包装されたチョコレートやガム、飴等を複数個収納して販売するための紙製の包装箱に関するものである。
【背景技術】
【０００２】
従来、一口で食べられるブロック型のチョコレートやガム、飴などの菓子は、包み紙や樹脂フィルム袋で個別に包装されたものを、紙箱内に複数個収納した状態で販売されている。そして、包み紙や樹脂フィルム袋自体、或いはガムの場合は食べ終わったものを包んだ包み紙からなるゴミは、近くにゴミ箱等の適当な捨て場所が見当たらない場合には、そのまま路上や床（駅の構内等）に捨てられたり或いはポケットに入れられたりすることが多い。特にガムの場合には、そのまま捨てられると道路や床、さらには靴の裏にくっ付いてしまい、簡単には取れない状態となり剥す作業が大変なものとなっている。また、ポケットに入れた場合には、後で捨て忘れてそのまま洗濯してしまい、衣類等を汚すことも発生している。また、元の紙箱内に入れると、まだ中身の残っている未開封のものと区別がつかなくなってしまう。
【０００３】
上記のような事態を防ぐために、従来、商品に別体のゴミ袋をセットすることが一部で行われている。しかし、上記のように別のゴミ袋を商品にセットすることはなかなか難しく、また開封後はゴミ袋をどこかに入れて持ち歩かなければならず、ともすると結局ゴミ扱いされて捨てられることになるという問題点があった。
【０００４】
そこで、個別に包装された菓子を収納する外箱にゴミを収納する部分を設ける方法が提案されており、例えば特許文献１には、角筒状の紙箱の一端に物を押し込む時のみ開口し、それ以外は閉鎖状態となる反動蓋部を設け、内部にはスライド可能な分離板を設けてゴミを収納可能とした菓子用紙箱が開示されている。また、紙箱にゴミ入れを設けた例としては、紙箱内を仕切板で２室に分け、一方をゴミ収納用としたティッシュペーパー収納箱が開示されている。
【０００５】
しかしながら、特許文献１の方法では、一端から内容物を順次取り出す角筒状の紙箱には適用できるものの、例えば上面を開封して中身を取り出すタイプの紙箱には適用できず、菓子用紙箱全般に応用できるものではなかった。また、特許文献１〜３の構成では、紙箱本体とは別個に仕切板を設ける必要があるため、組み立て作業性の低下や紙箱のコストアップに繋がるという問題点があった。
【特許文献１】特開平６−１３５４３６号公報
【特許文献２】特開昭５３−１１３６８１号公報
【特許文献３】実開平５−６１０８１号公報
【発明の開示】
【発明が解決しようとする課題】
【０００６】
本発明は上記問題点に鑑み、紙箱にゴミ箱機能を持たせることにより、生じるゴミを美しく処理できるとともに、組み立ても容易な包装箱を提供することを目的としている。
【課題を解決するための手段】
【０００７】
上記目的を達成するために本発明は、開閉可能な蓋部を備えた上面と、該上面の対向する二辺に連結される一対の第１側面と、前記上面の他の二辺に連結される一対の第２側面と、前記第１側面の一方に連結され前記上面に対向配置される底面と、を有し、包装材で個別に包装された内容物を複数個収納する包装箱において、前記底面の四辺のうち、前記第１側面が連結された辺と対向する辺に連結される仕切板を用いて、包装箱内部を前記仕切板の上方に形成され内容物を収納する第１収納部と、前記仕切板の下方に形成され開封後の包装材を収納する第２収納部とに分割するとともに、前記第２側面の少なくとも一方に、前記第２収納部へ包装材を挿入する挿入口を設けたことを特徴としている。
【０００８】
また本発明は、上記構成の包装箱において、前記第２側面は、前記上面との連結部分を支軸として開閉可能であり、前記挿入口は、前記第２側面の先端部に延設され前記底面内側に差し込むことにより前記第２側面を閉状態に保持する差し込み片に形成されることを特徴としている。
【０００９】
また本発明は、上記構成の包装箱において、前記挿入口が形成される前記差し込み片には、前記第１側面から突設された一対の舌片に係合して前記第２の側面の開放角度を規制する切り欠きが形成されることを特徴としている。
【００１０】
また本発明は、上記構成の包装箱において、前記仕切板には、前記挿入口が形成された前記第２側面と対向する端部に、前記第１収納部への包装材の進入を防止する遮蔽板が連設されることを特徴としている。
【発明の効果】
【００１１】
本発明の第１の構成によれば、仕切板を用いて包装箱内部を第１収納部と第２収納部とに分割し、第２収納部に開封後の包装材を挿入する挿入口を設けることにより、内容物を個別に包装する包装材等を散逸することなく美しく処理することができ、包装箱と共に一度に廃棄できるため効率的である。また、未開封及び開封済みの包装材が包装箱内部で混在しないため、内容物が入った未開封の包装材を容易に区別することができる。さらに、仕切板は底面と一体に連結されているため、第２収納部を形成するのに別部材を必要としない。
【００１２】
また、本発明の第２の構成によれば、上記第１の構成の包装箱において、第２側面を上面との連結部分を支軸として開閉可能とし、挿入口を第２側面の先端部に延設される差し込み片に形成することにより、第２側面を閉鎖した状態では挿入口が外部に露出しないため、一旦収納された包装材の挿入口からの漏出を防止するとともに包装箱の外観も損なわない。
【００１３】
また、本発明の第３の構成によれば、上記第２の構成の包装箱において、挿入口が形成される差し込み片に、第１側面から突設された一対の舌片に係合して第２の側面の開放角度を規制する切り欠きを形成することにより、第２側面が大きく開放せず、包装材の再漏出を効果的に防止できる。
【００１４】
また、本発明の第４の構成によれば、上記第１乃至第３のいずれかの構成の包装箱において、挿入口が形成された第２側面と対向する仕切板の端部に、第１収納部への包装材の進入を防止する遮蔽板を連設することにより、第２側面を開放した時の内容物の漏出、及び内容物が収納される第１収納部への包装材の混入を防止可能となる。
【発明を実施するための最良の形態】
【００１５】
以下、図面を参照しながら本発明の実施形態をについて説明する。図１は、本発明の一実施形態に係る包装箱の展開図、図２及び図３は、包装箱の開封前及び開封後の状態を示す斜視図、図４は包装箱の側面断面図（図３のＡ−Ａ′断面）である。各図において共通する部分には同一の符号を付している。図１に示すように、包装箱１００は一枚の紙から打ち抜き加工された底面１、仕切板３、第１側面６ａ、６ｂ及び第２側面８ａ、８ｂ、上面７等から構成されている。
【００１６】
図１〜図４を用いて包装箱１００の組み立て手順について説明する。先ず、上面７の周縁に沿って長辺側の第１側面６ａ、６ｂを垂直（図１の紙面裏側方向）に折り曲げる。そして、第１側面６ａに連なる底面１を上面７に対向するように垂直に折り曲げる。
【００１７】
次に、底面１に連なる立ち上げ部２を第１側面６ｂと重なるように折り曲げ、さらに立ち上げ部２に連なる仕切板３を底面１と略平行になるように折り返す。次に、仕切板３に連なる接合片４を第１側面６ａと重なるように折り曲げる。また、仕切板３の側端に連なる遮蔽板５も接合片４と同方向に折り曲げておく。そして、接合片４を側面６ａの内側上部に接着するとともに、立ち上げ部２を側面６ｂの内側下部に接着する。
【００１８】
これにより、包装箱１００は短辺側の第２側面８ａ、８ｂ方向が開口した角筒状となり、図４に示すように、包装箱１００の内部は仕切板３の上方の第１収納部１９と、仕切板３の下方の第２収納部２０とに分割される。第１収納部１９には個別に包装された内容物が収納され、第２収納部２０は開封後の包装材を収納するのに用いられる。
【００１９】
そして、遮蔽板５が存在しない第２側面８ｂ方向から第１収納部１９に包装材で個別に包装された所定量の内容物（図示せず）を入れた後、第１側面６ａ、６ｂに連なる舌片９を垂直に折り曲げ、さらに第２側面８ａ、８ｂを舌片９に重なるように折り曲げる。最後に第２側面８ａ、８ｂの先端に設けられた差し込み片１０ａ、１０ｂを底面１の内側に挿入することにより、図２のような包装箱１００が組み立てられる。
【００２０】
内容物を取り出すときは、第１側面６ａに形成された指掛け穴１５ａに指を差し入れて切り込み１１ａを手前に起こし、形成された取手部１４を把持して上方に引き上げる。これにより上面７のミシン目１３が破断し、図３のようにヒンジ線１６を支軸として開閉可能な蓋部１７が形成されるため、第１収納部１９の上部が開口して内容物の取り出しが可能となる。また、内容物を所定量取り出した後は蓋部１７で開口を覆い、接合片４に形成された切り込み１１ｂに取手部１４を差し込んで蓋部１７を係止する。
【００２１】
図５は、包装箱１００の第２側面８ａを開放した状態を示す拡大斜視図である。図１及び図５を参照しながら、第２収納部２０に包装材を挿入する挿入口の構成及び開封後の包装材の処理方法について説明する。図１に示すように、第２側面８ａ側の差し込み片１０ａは、第２側面８ｂ側の差し込み片１０ｂに比べて大きく形成されており、差し込み片１０ａの左右両端にはくさび型の切り欠き１２が形成され、中央部には挿入口１５ｂが形成されている。また、第２側面８ａの下端には円弧状の切り込み１１ｃが形成されている。
【００２２】
開封後の包装材を処理するときは、図５に示すように、切り込み１１ｃを手前に起こして形成されるツマミ２２を引っ張ると、第２側面８ａが矢印Ｂ方向に開放され、差し込み片１０ａが引き出される。そして、露出した挿入口１５ｂから包装材を第２収納部２０内に挿入する。これにより、包装材等を散逸することなく美しく処理することができ、包装箱１００と共に一度に廃棄できるため効率的である。
【００２３】
また、仕切板３の上部には遮蔽板５が存在するため、第２側面８ａの開放時に第１収納部１９に収納された内容物の外部への漏出が防止される。さらに、挿入口１５ｂから押し込んだ包装材が第１収納部１９に混入せず、開封済の包装材と内容物が入った未開封の包装材とを容易に区別することができる。包装材を処理した後は、第２側面８ａを矢印Ｂ′方向に閉鎖することにより挿入口１５ｂは再び包装箱１００内に隠れるため、挿入口１５ｂからの包装材の再漏出を防止するとともにデザイン的にも優れたものとなる。
【００２４】
さらに、差し込み片１０ａが所定量引き出されると、切り欠き１２が舌片９の突起部９ａに係合することにより、第２側面８ａの開放角度が規制される。これにより、ツマミ２２を強く引いても差し込み片１０ａが底面１から離間しないため、第２側面８ａが大きく開放して一旦収納された包装材が再び漏出するおそれがなくなる。
【００２５】
なお、ここでは第２側面８ａ側の差し込み片１０ａに挿入口１５ｂを設けたが、第２側面８ｂ側の差し込み片１０ｂに設けても良いし、差し込み片１０ａ及び１０ｂの両方に設けても良い。また、例えば挿入口１５ｂを設けずに、切り込み１１ｃを大きめに形成しておき、ツマミ２２を起こした後の穴から包装材を挿入することもできる。この場合、第２側面８ａを閉鎖した状態で包装材の挿入が可能となるが、一旦収納された包装材が再漏出するおそれがある。
【００２６】
また、舌片９の下方を切り欠いておき、開放した第２側面８ａの両脇から包装材を挿入する方法も考えられるが、舌片９は第２側面８ａの両脇からの包装材の再漏出を抑制する役割も果たしているため、例えば第２側面８ａを開放した状態で包装箱１００を傾けたとき、第２側面８ａの両脇から包装材が再漏出するおそれがある。従って、再漏出の心配が少なく、デザイン的にも優れた上記実施形態の構成がより好ましい。
【００２７】
その他本発明は、上記実施形態に限定されず、本発明の趣旨を逸脱しない範囲で種々の変更が可能である。例えば上記実施形態では断面矩形状の第２収納部２０（図４参照）を形成したが、図６に示すように、第１収納部１９の容積を大きくするため第２収納部２０を断面三角形状としても良い。この場合、包装材の挿入を妨げないように舌片９を小さめに形成するとともに、挿入口１５ｂは差し込み片１０ａの中央部ではなく、第２収納部２０の幅広側（図６では右側）寄りに形成することが好ましい。
【００２８】
また、挿入口１５ｂや蓋部１７、包装箱１００本体の形状や大きさについても特に制限はなく、例えば上述したような平直方体状の包装箱に代えて、縦長状の包装箱に適用することもできる。
【産業上の利用可能性】
【００２９】
本発明は、開閉可能な蓋部を備えた上面と、該上面の対向する二辺に連結される一対の第１側面と、上面の他の二辺に連結される一対の第２側面と、第１側面の一方に連結され上面に対向配置される底面と、を有し、包装材で個別に包装された内容物を複数個収納する包装箱において、底面の四辺のうち、第１側面が連結された辺と対向する辺に連結される仕切板を用いて、包装箱内部を仕切板の上方に形成され内容物を収納する第１収納部と、仕切板の下方に形成され開封後の包装材を収納する第２収納部とに分割するとともに、第２側面の少なくとも一方に、第２収納部へ包装材を挿入する挿入口を設けたものである。
【００３０】
これにより、包装材等を散逸することなく美しく処理することができ、未開封及び開封済みの包装材が包装箱内部で混在しないため、内容物が個別に包装されている菓子等に好適な包装箱を簡易且つ低コストで提供することができる。
【００３１】
また、挿入口は、開閉可能な第２側面の先端部に延設された差し込み片に形成しておけば、第２側面を閉鎖した状態では挿入口が外部に露出しないため、一旦収納された包装材の挿入口からの再漏出を防止可能であり、且つデザイン的にも優れた包装箱となる。
【００３２】
さらに、差し込み片に切り欠きを設けて第２側面の開放角度を規制すれば、包装材の挿入時に第２側面が必要以上に大きく開かず、包装材の再漏出をより効果的に防止できる。また、仕切板の側端に遮蔽板を一体に連設しておけば、第２側面の開放時に内容物が漏出したり、包装材を誤って第１収納部へ挿入したりするおそれもなくなる。
【図面の簡単な説明】
【００３３】
【図１】は、本発明の一実施形態に係る包装箱の展開図である。
【図２】は、本発明の包装箱を開封する前の状態を示す斜視図である。
【図３】は、本発明の包装箱を開封した状態を示す斜視図である。
【図４】は、本発明の包装箱の断面図である。
【図５】は、第２側面を開放して挿入口を露出させた状態を示す拡大斜視図である。
【図６】は、第２収納部の他の形状を示す断面図である。
【符号の説明】
【００３４】
１                底面
３                仕切板
５                遮蔽板
６ａ、６ｂ        第１側面
７                上面
８ａ、８ｂ        第２側面
９                舌片
９ａ              突起部
１０ａ、１０ｂ    差し込み片
１１ａ〜１１ｃ    切り込み
１２              切り欠き
１３              ミシン目
１４              取手部
１５ａ            指掛け穴
１５ｂ            挿入口
１６              ヒンジ線
１７              蓋部
１９              第１収納部
２０              第２収納部
【図１】
2008087801.tif 000003
【図２】
2008087801.tif 000004
【図３】
2008087801.tif 000005
【図４】
2008087801.tif 000006
【図５】
2008087801.tif 000007
【図６】
2008087801.tif 000008